【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
装置に於いて、該装置が
基盤と、
該基盤内に配置された磁場発生器（３０８）とを具備しており、該磁場発生器（３０８）は、常時は不活性であり、該基盤上に設置されるか又は該基盤内に配置されるか何れかの磁気ストライプ（５０２）と、該磁気ストライプ（５０２）の長さの下で該基盤内に配置された１つ以上の誘導コイル（５５２又は５１８−５３０）と、そして該基盤内に配置され該１つ以上の誘導コイル（５５２又は５１８−５３０）に接続され、かつ、該１つ以上の誘導コイル（５５２又は５１８−５３０）及び該磁気ストライプ（５０２）を介して空間的に変化する又は時間的に変化する磁気信号を発生するよう動作可能な制御回路（５３２）と、を備えており、該装置は又、
該基盤上に設置された生物測定学的センサー（３１０）と、
該基盤内に配置されたメモリー（３１２）と、
該基盤内に配置され、該磁場発生器（３０８）、該生物測定学的センサー（３１０）及び該メモリー（３１２）に通信可能なように接続されたプロセサー（３１４）とを具備しており、該プロセサー（３１４）は、ユーザーが該装置を使うことをオーソライズされているかを検証するため該生物測定学的センサー（３１０）から受信された生物測定学的情報を処理し、該ユーザーが検証された時該磁場発生器（３０８）を賦活するよう動作可能であり、そして該装置は更に
該基盤内に配置され、該磁場発生器（３０８）、該生物測定学的センサー（３１０）及び該プロセサー（３１４）に電気的に接続された電源（３１６）を具備することを特徴とする該装置。
【請求項２】
１人以上のユーザーに付随する情報を有する装置と、磁場発生器（３０８）とそして生物測定学的センサー（３１０）と、を使って処理を可能にする方法であるが、該磁場発生器（３０８）は常時は不活性であり、該基盤上に設置されるか又は該基盤内に配置されるか何れかの磁気ストライプ（５０２）と、該磁気ストライプ（５０２）の長さの下で該基盤内に配置された１つ以上の誘導コイル（５５２又は５１８−５３０）と、そして該基盤内に配置され該１つ以上の誘導コイル（５５２又は５１８−５３０）に接続された制御回路（５３２）と、を有している、該方法は
該生物測定学的センサー（３１０）から認証データを受信する過程と、
該認証データが該ユーザーの１人用に有効かどうかを決定する過程と、そして
該認証データが有効な時は何時も、該磁場発生器（３０８）を賦活し、該認証されたユーザーに付随する情報に対応する空間的に変化する又は時間的に変化する磁気信号を該１つ以上の誘導コイル（５５２又は５１８−５３０）及び該磁気ストライプ（５０２）を介して発生する過程と、を具備することを特徴とする該方法。
【請求項３】
該認証されたユーザーに付随する該情報が該処理の承認を可能にし、そして該処理がアクセス処理、制御処理、財務処理、商業的処理又は同定処理であることを特徴とする請求項２の該方法。
【請求項４】
更に該認証データが有効でない時は何時も、該磁場発生器（３０８）を賦活し、該処理の否定を可能にする磁気信号を発生する過程を具備することを特徴とする請求項２の該方法。
【請求項５】
更に該生物測定学的センサー（３１０）からのデータを検出する過程、外部信号を検出する過程又はユーザーインターフエース（３２０）からデータを受信する過程を備える、１つ以上の賦活パラメーターを受信する過程を具備することを特徴とする請求項２の該方法。
【請求項６】
該認証データが有効かどうかを決定する過程が該認証データを該デバイス内に記憶された１つ以上の生物測定学的テンプレートと比較する過程を備えることを特徴とする請求項２の該方法。
【請求項７】
更に該磁場発生器（３０８）が指定された時間の間活性であった後該磁場発生器（３０８）を非活性化する過程を具備することを特徴とする請求項２の該方法。
【請求項８】
更に該処理を可能にする情報を選択する過程を具備することを特徴とする請求項２の方法。
【請求項９】
更に該ユーザーに情報を表示する過程を具備することを特徴とする請求項２の該方法。
【請求項１０】
更に該ユーザーに付随する該情報を無線通信アンテナを介して送信する過程を具備することを特徴とする請求項２の該方法。
【請求項１１】
更に
非接触の仕方で外部電源から電力を受ける過程と、そして
該外部電源から受けた該電力を該装置と両立する電力に変換する過程を具備することを特徴とする請求項２の該方法。
【請求項１２】
システムに於いて、該システムが
１つ以上のユーザーデバイスを具備しており、各該ユーザーデバイス（３０２）は
基盤と、
該基盤内に配置された磁場発生器（３０８）と、を備えており、該磁場発生器（３０８）は、常時は不活性であり、該基盤上に設置されるか又は該基盤内に配置されるか何れかの磁気ストライプ（５０２）と、該磁気ストライプ（５０２）の長さの下で該基盤内に配置された１つ以上の誘導コイル（５５２又は５１８−５３０）と、そして該基盤内に配置され該１つ以上の誘導コイル（５５２又は５１８−５３０）に接続され、かつ、該１つ以上の誘導コイル（５５２又は５１８−５３０）及び該磁気ストライプ（５０２）を介して空間的に変化する又は時間的に変化する磁気信号を発生するよう動作可能な制御回路（５３２）と、を有しており、該ユーザーデバイスは又
該基盤上に設置された生物測定学的センサー（３１０）と、
該基盤内に配置されたメモリー（３１２）と、
該基盤内に配置され、かつ、該磁場発生器（３０８）、該生物測定学的センサー（３１０）及び該メモリー（３１２）と通信可能なように接続されたデバイスプロセサー（３１４）と、を備えており、該プロセサー（３１４）はユーザーが該装置を使うことをオーソライズされているかを検証するため該生物測定学的センサー（３１０）から受信した生物測定学的情報を処理し、該ユーザーが検証された時、該磁場発生器（３０８）を賦活するよう動作可能であり、そして該ユーザーデバイスは更に
該基盤内に配置され、該磁場発生器（３０８）、該生物測定学的センサー（３１０）及び該デバイスプロセサー（３１４）に電気的に接続された電源（３１６）と、
該ユーザーデバイス（３０２）と通信するよう動作可能である１つ以上のシステムインターフエース（３０４）と、そして
該１つ以上のシステムインターフエース（３０４）と通信可能に接続されるシステムプロセサー（３０６）と、を備えることを特徴とする該システム。
【請求項１３】
該１つ以上のシステムインターフエース（３０４）が光学的インターフエース（３３６）、スマートカードインターフエース（３３４）、無線通信インターフエース（３３２）、磁気リーダー（３３０）、初期化インターフエース（３２８）又は再充電器を有することを特徴とする請求項１２の該システム。
【請求項１４】
更に該システムプロセサー（３０６）と通信可能に接続されたデータベース（３３８）を具備することを特徴とする請求項１２の該システム。
【請求項１５】
更にネットワーク（３４０）経由で該システムプロセサー（３０６）と通信可能に接続された１つ以上の遠隔コンピュータ（３４２）を具備することを特徴とする請求項１２の該システム。
【請求項１６】
該磁気信号がユーザー名、ユーザー番号及び装置満了日付を説明する２進データを有することを特徴とする請求項１の該装置又は請求項１２の該システム。
【請求項１７】
該磁気ストライプ（５０２）が３つのトラックを有し、各該トラックが磁気データセルのセット（５０４−５１６）を有することを特徴とする請求項１の該装置又は請求項１２の該システム。
【請求項１８】
該デバイスプロセサー（３１４）がスマートカードプロセサー及びエイシックチップを有することを特徴とする請求項１の該装置又は請求項１２の該システム。
【請求項１９】
該電源（３１６）が電力管理ユニット（３１８）により制御されることを特徴とする請求項１の該装置又は請求項１２の該システム。
【請求項２０】
該電源（３１６）がバッテリー、ピエゾ電気発生器、ソーラーパネル、電磁エネルギー変換器、運動エネルギー変換器及びそれらの組み合わせから成るグループから選択されることを特徴とする請求項１の該装置又は請求項１２の該システム。
【請求項２１】
該電源（３１６）が
バッテリー（１４０６）と、
電力発生器（１４０２）と、
該電力発生器（１４０２）と電気的に接続され、該電力発生器（１４０２）から受けた電力を該装置により使用可能な電力に変換するため又は該バッテリー（１４０６）を充電するため動作可能な変換器（１４０４）と、
該バッテリー（１４０６）に接続されたバッテリー管理ユニット（１４０８）と、そして
該バッテリー管理ユニット（１４０８）及び該変換器（１４０４）に接続され、該バッテリー管理ユニット（１４０８）から、該変換器（１４０４）から、又は両者から電力を引き出すかどうかを決定するよう動作可能な電力マルチプレクサー（１４１０）と、を備えることを特徴とする請求項１の該装置又は請求項１２の該システム。
【請求項２２】
該生物測定学的センサー（３１０）が指紋センサー、網膜センサー、虹彩センサー又はボイスセンサーから成るグループから選択されることを特徴とする請求項１の該装置又は請求項１２の該システム。
【請求項２３】
該生物測定学的センサー（３１０）が指紋の峰及び谷に対応する高、低点を検出するために動作可能な点のマトリックスを備えることを特徴とする請求項１の該装置又は請求項１２の該システム。
【請求項２４】
該生物測定学的センサー（３１０）は放射器（１３０２−１３１０）と検出器（１３１２−１３２２）とを備えており、該放射器（１３０２−１３１０）から投射された光がユーザーの指から該検出器（１３１２−１３２２）上へ反射されることを特徴とする請求項１の該装置又は請求項１２の該システム。
【請求項２５】
更に該基盤上に設置され、該デバイスプロセサー（３１４）と通信可能なように接続されそして該電源（３１６）に電気的に接続されたユーザーインターフエース（３２０）を具備しており、該ユーザーインターフエース（３２０）はタッチパッド、１つ以上のボタン、デイスプレー及びボイスセンサーから成るグループから選択されることを特徴とする請求項１の該装置又は請求項１２の該システム。
【請求項２６】
更に該基盤上に設置され、該デバイスプロセサー（３１４）と通信可能なように接続されそして該電源（３１６）に電気的に接続された出力インターフエース（３２６）を具備しており、該出力インターフエース（３２６）は無線通信用アンテナ及び光学的送信器から成るグループから選択されることを特徴とする請求項１の該装置又は請求項１２の該システム。
【請求項２７】
更に該基盤上に設置され、該デバイスプロセサー（３１４）と通信可能なように接続されそして該電源（３１６）に電気的に接続されたスマートカードインターフエース（３２４）を有することを特徴とする請求項１の該装置又は請求項１２の該システム。
【請求項２８】
更に該基盤内に配置され、該デバイスプロセサー（３１４）と通信可能なように接続され、該電源（３１６）に電気的に接続された非接触インターフエース（３２２）を具備し、該非接触インターフエース（３２２）が無線通信用アンテナ及び光学的トランシーバーから成るグループから選択されることを特徴とする請求項１の該装置又は請求項１２の該システム。
【請求項２９】
該基盤がやや柔軟であることを特徴とする請求項１の該装置又は請求項１２の該システム。
【請求項３０】
該基盤が、アクセスカード、クレディットカード、デビットカード、身分証明カード、ミニカード、セキュリテイカード、価値内蔵カードそして特定ベンダー向けカードから成るグループから選択されたカード内に一体化されることを特徴とする請求項１の該装置又は請求項１２の該システム。
【請求項３１】
該基盤が、パスポート、イミグレーションカード及びビザから成るグループから選択されたトラベルクレデンシャル内に一体化されることを特徴とする請求項１の該装置又は請求項１２の該システム。
【請求項３２】
該基盤が、パーソナルデータアシスタント、遠隔通信デバイス、ページャー、コンピュータそして電子メールトランシーバーから成るグループから選択された個人的通信デバイス内に一体化されることを特徴とする請求項１の該装置又は請求項１２の該システム。
【請求項３３】
該基盤が、時計、ジュエルリー、キイリング、タグ及び眼鏡から成るグループから選択された個人的デバイス／持ち物内に一体化されることを特徴とする請求項１の該装置又は請求項１２の該システム。
【請求項３４】
該デバイスプロセサー（３１４）及び該メモリー（３１２）が１つの集積回路内に一体化されることを特徴とする請求項１の該装置又は請求項１２の該システム。
【請求項３５】
該メモリー（３１２）がユーザーの生物測定学的アナログを備えることを特徴とする請求項１の該装置又は請求項１２の該システム。
【請求項３６】
該デバイスプロセサー（３１４）が、ユーザーが該生物測定学的センサー（３１０）を使って認証された後、２進データを該磁場発生器（３０８）へ提供することを特徴とする請求項１の該装置又は請求項１２の該システム。
【請求項３７】
該デバイスプロセサー（３１４）が、該磁場発生器（３０８）が指定された時間の間、活性であった後、該磁場発生器（３０８）を非活性化することを特徴とする請求項１の該装置又は請求項１２の該システム。
【手続補正２】
【補正対象書類名】明細書
【補正対象項目名】００３４
【補正方法】変更
【補正の内容】
【００３４】
該制御器８０６は種々の機能を行うために該生物測定学的センサー８０２及び該デバイス８００の他の部品と相互作用する。例えば、該制御器８０６は、オーソライズされたユーザーの信頼されるテンプレートアナログとしての長期貯蔵用としてのみならず認証手順中の貯蔵され信頼されるテンプレートアナログとの即刻の比較用として、該身体的属性のアナログを取り込んでもよい。又該制御器８０６は該比較が該テンプレートアナログと該生物測定学的センサー８０２により取り込まれたアナログとの間のマッチを示すかどうかを決定してもよい。加えて、該制御器８０６は該ダイナミック情報ディスプレー８１０を制御し、該制御ボタン８０８からの入力に応答し、そして磁気情報媒体部品８１２を制御してもよい。更に、該制御器８０６は該ＲＦアンテナ８０４を経由した付随リーダー／ライターデバイス（図９）との双方向通信をサポートする。該制御器は１つの制御器／プロセサーであってもよく或いは多数の制御器／プロセサーを含んでもよい。
【手続補正３】
【補正対象書類名】明細書
【補正対象項目名】００３５
【補正方法】変更
【補正の内容】
【００３５】
該ダイナミック情報ディスプレー８１０は、情報をユーザーに表示するのみならず制御ボタン８０８を使ってユーザーが相互作用する過程をイネーブルにするために使われてもよい。該磁気情報媒体部品８１２はそれが磁場を介して情報を提供するよう操作されてもよい。該ＲＦ電力ユニット８１４はＲＦラジオエネルギー（ＲＦ  ｒａｄｉｏ  ｅｎｅｒｇｙ）を電気エネルギーに変換し、該電気エネルギーの貯蔵と、該デバイス８００内の他の部品への該電気エネルギーの配布を制御してもよい。該デバイス８００は又、該ＲＦ電力制御ユニット８１４用のバックアップ又は代わりの電源として使うために、バッテリー及び／又は他の電力手段を有してもよいことは理解される。
【手続補正４】
【補正対象書類名】明細書
【補正対象項目名】００５５
【補正方法】変更
【補正の内容】
【００５５】
今図１４を参照すると、図１１のデバイス１１００で使われた様な、図解した電力回路１４００が描かれている。適当なＲＦエネルギーが該デバイス１１００上の入射すると、該ＲＦエネルギーはＲＦアンテナ（以下、電力発生器ともいう）１４０２内へ連結する。該アンテナ又は電力発生器１４０２から、該エネルギーはＲＦ対ＤＣ電力変換器（ＲＦ−ｔｏ−ＤＣ  ｐｏｗｅｒ  ｃｏｎｖｅｒｔｅｒ）１４０４に入るが、該変換器は該ＡＣのＲＦ場（ＡＣ  ＲＦ  ｆｉｅｌｄ）をＤＣ類似回路（ＤＣ−ｌｉｋｅ  ｃｉｒｃｕｉｔ）へ変換する全波整流器（ｆｕｌｌ−ｗａｖｅ  ｒｅｃｔｉｆｉｅｒ）を有する。該ＡＣピーク変動をＤＣ類似電源（ＤＣ−ｌｉｋｅ  ｓｏｕｒｃｅ）に緩和（ｂｕｆｆｅｒ）するために静電容量が提供される。この過程で発生する中間電力は、もしバッテリー１４０６がその全容量（ｆｕｌｌ  ｃａｐａｃｉｔｙ）より下にあるならバッテリー１４０６の充電、そして該デバイス１１００への電力供給、の様な種々の目的で使われてもよい。該バッテリー１４０６はバッテリー管理ユニット１４０８を通して充電されてもよい。スマート電力マルチプレクサー（ｓｍａｒｔ  ｐｏｗｅｒ  ｍｕｌｔｉｐｌｅｘｅｒ）１４１０は、該バッテリー管理ユニット１４０８から，該ＲＦ対ＤＣ電力変換器１４０４から、又は両者から、電力を引き出すかどうか決定するため使われてもよい。
【手続補正５】
【補正対象書類名】明細書
【補正対象項目名】００７３
【補正方法】変更
【補正の内容】
【００７３】
特に図１９を参照すると、該デバイス８００が財務処理に使用可能となる前に、それは、該デバイス８００の確保されたメモリー（ｓｅｃｕｒｅｄ  ｍｅｍｏｒｙ）内への選択された指紋パターンの登録でバイヤー／オーナーにより初期化されるべきである。選択された指紋を登録するために、該デバイスオーナーは該デバイス８００をポイントオブセールス（ｐｏｉｎｔ  ｏｆ  ｓａｌｅｓ）｛"ピーオーエス（ＰＯＳ）"｝デバイスにより発生されるＲＦ場内に保持するが、該ポイントオブセースルデバイスはキオスクのパーソナルコンピュータ、キャッシュレジスター、又は同様なデバイスであってもよい。過程１９０２で、該ピーオーエスデバイスからの該ＲＦエネルギーは該デバイス８００とデイスプレーの賦活の電力を提供する。過程１９０４で、該デバイス８００が前に使われたかどうかについて決定が行われる。例えば、該デバイス８００は指紋テンプレートアナログが既にメモリー内に記憶されているかを決定してもよい。もし該デバイス８００が前に使われたなら、該方法１９００は終了する。もし該デバイスが前に使われなかったなら、該デバイス８００は過程１９０６へ続き、そこでは該オーナーは該生物測定学的センサーを駆動するよう促される。例えば、これは該オーナーに選択された指又は親指で該デバイス８００上の生物測定学的センサー８０２に簡単にタッチすることを課す。該オーナーが該生物測定学的センサー８０２と接触を保持している間に、過程１９０８，１９１０で該指紋情報は該生物測定学的センサー８０２により読まれ、該デバイス８００内に記憶される。過程１９１２で、該指紋パターンが暗号化されたテンプレートとして該デバイス８００内に成功裡に登録されたという確認応答（ａｃｋｎｏｗｌｅｄｇｅｍｅｎｔ）が該デイスプレー８１０上に表示されるまで、該オーナーは該生物測定学的センサー８０２と接触を保持する。
【手続補正６】
【補正対象書類名】明細書
【補正対象項目名】００７４
【補正方法】変更
【補正の内容】
【００７４】
特に図２０を参照すると、インボイス情報（ｉｎｖｏｉｃｅ  ｉｎｆｏｒｍａｔｉｏｎ）が該ピーオーエスデバイスにより表示される支払い処理をオーソライズするために、該デバイス８００のユーザーは、過程２００２で、該ピーオーエスデバイスに接続されたＲＦリーダーにより発生されるＲＦ場内に該デバイス８００を保持する。例えば、該ユーザーは該デバイス８００を該ＲＦリーダーから約１５．２４ｃｍ（６インチ）の距離に保持する。過程２００４で、該ユーザーは、該カードのメモリー内に安全に記憶された彼／彼女の前に登録された指紋と比較のマッチ（ｃｏｍｐａｒａｔｉｖｅ  ｍａｔｃｈ）をもたらすよう、該生物測定学的センサー８０２を駆動する（例えば、彼／彼女の指又は親指で該指紋センサーにタッチする）。成功裡のマッチはカード保持者の勘定のデータ（ｃａｒｄｈｏｄｅｒ  ａｃｃｏｕｎｔ  ｄａｔａ）の暗号化された承認と、該データの販売者の経営勘定の受取勘定処理システム（ｓｅｌｌｅｒ'ｓ  ａｄｍｉｎｉｓｔｒａｔｉｖｅ  ａｃｃｏｕｎｔ  ｒｅｃｅｉｖａｂｌｅｓ  ｐｒｏｃｅｓｓｉｎｇ  ｓｙｓｔｅｍ）への振り込み（ｔｒａｎｓｆｅｒ）をもたらす。